(57)【要約】【課題】装置のコンパクト化を図ることにより、小規模な施工現場でも搬入・設置を可能とするクーラント用の泡発生装置を提供する。【解決手段】コンプレッサー１で発生した圧力空気と泡剤とを混合して泡を発生させる装置であって、コンプレッサー１のエアータンク４が泡剤の収容タンクを兼ねている。より、具体的にはコンプレッサー１の圧縮ユニット３に接続された送気管５にバイパス管６が設けられ、バイパス管６に泡剤の収容タンクを兼ねるエアータンク４が設けられている。【選択図】  図１
2004275891.tif 000002
【特許請求の範囲】
【請求項１】
コンプレッサーで発生した圧力空気と泡剤とを混合して泡を発生させる装置であって、
前記コンプレッサーのエアータンクが前記泡剤の収容タンクを兼ねていることを特徴とする泡発生装置。
【請求項２】
前記コンプレッサーの圧縮ユニットに接続された送気管にバイパス管が設けられ、このバイパス管に前記泡剤の収容タンクを兼ねるエアータンクが設けられていることを特徴とする請求項１記載の泡発生装置。
【請求項３】
前記送気管内の圧力空気及び前記泡剤の各圧力を調整して、圧力空気と前記泡剤とを混合させる泡発生ユニットが前記エアータンクに搭載されていることを特徴とする請求項２記載の泡発生装置。
【発明の詳細な説明】
【０００１】
【発明の属する技術分野】
この発明は、泡発生装置に関し、さらに詳細には、例えばコンクリート構造物の穿孔や切断作業をするに際し、切り粉の除去及び穿孔具や切断具の冷却のためにクーラントとして用いられる泡の発生装置に関する。
【０００２】
【従来の技術】
図２は従来の泡発生装置を示す図であり、（ａ）は装置の概略図を示し、（ｂ）は配管系統を示している。従来の泡発生装置は、コンプレッサー２１と泡発生部２２とからなっている。コンプレッサー２１は周知のものであり、空気を圧縮する圧縮ユニット２３と、圧力空気を蓄えるエアータンク２４とを備えている。また、泡発生部２２は液状の泡剤が収容される泡剤収容タンク２５と泡発生ユニット２６とで構成されている。
【０００３】
圧縮ユニット２３に接続された送気管２７にはエアータンク２４とバイパス管２８が設けられ、このバイパス管２８に泡剤収容タンク２５が設けられている。送気管２７には送気圧力調整弁２９が、またバイパス管２８には泡剤圧力調整弁３０、泡剤流量調整弁３１及び泡剤流量計３２がそれぞれ設けられている。泡発生ユニット２６はこれらの弁類と、バイパス管２８と送気管２７との合流部である液・送気混合部３３とで構成されている。
【０００４】
以上の構成により、泡剤収容タンク２５の泡剤は送気圧によって加圧され、バイパス管２８を通って送気管２７に噴射される。これにより、泡剤とエアとが液・送気混合部１１で混合して泡が発生し、泡状クーラントしてコンクリート構造物の所要切断箇所に供給される。なお、泡を発生させるためには泡剤の液圧＞送気圧の関係が必要であり、その圧力差は０．１ＭＰａ〜０．３ＭＰａであることが必要である。
【０００５】
上記従来の泡発生装置は、コンプレッサー２１とは別個に泡剤収容タンク２５を有する泡発生部２２を備えているので、泡発生装置全体が大型である。このため、規模が大きい工事では問題ないが、例えば事務所の天吊りエアコンを取り付けるためのアンカー孔などのように軽微な穿孔、切断作業の場合、設置スペースが得られず、また搬入も困難であり、泡状クーラントを使用した穿孔、切断作業を行うことができないことが多い。
【０００６】
【発明が解決しようとする課題】
この発明は上記のような技術的背景に基づいてなされたものであって、次の目的を達成するものである。
この発明の目的は、装置のコンパクト化を図ることにより、小規模な施工現場でも搬入・設置を可能とするクーラント用の泡発生装置を提供することにある。
【０００７】
【課題を解決するための手段】
この発明は上記課題を達成するために、次のような手段を採用している。
すなわち、この発明は、コンプレッサーで発生した圧力空気と泡剤とを混合して泡を発生させる装置であって、
前記コンプレッサーのエアータンクが前記泡剤の収容タンクを兼ねていることを特徴とする泡発生装置にある。
【０００８】
より具体的には、前記コンプレッサーの圧縮ユニットに接続された送気管にバイパス管が設けられ、このバイパス管に前記泡剤の収容タンクを兼ねるエアータンクが設けられている。また、前記送気管内の圧力空気及び前記泡剤の各圧力を調整して、圧力空気と前記泡剤とを混合させる泡発生ユニットが前記エアータンクに搭載されている。
【０００９】
この発明によれば、コンプレッサーのエアータンクが泡剤の収容タンクを兼ねている。このため、専用の泡剤収容タンクが不要となって装置全体がコンパクト化し、小規模な施工現場でも搬入・設置が可能となる。
【００１０】
【発明の実施の形態】
この発明の実施の形態を図面を参照しながら以下に説明する。図１は、この発明の実施形態を示し、（ａ）は装置の概略図を示し、（ｂ）は配管系統図を示している。この発明による泡発生装置は、コンプレッサーと１と泡発生ユニット２とからなっている。
【００１１】
コンプレッサー１は従来と同様に、空気を圧縮する圧縮ユニット３と、加圧された空気を蓄えるエアータンク４とからなっているが、エアータンク４は液状の泡剤を収容するタンクも兼ねている。この泡剤収容タンクを兼ねるエアータンク４は、圧縮ユニット３に接続された送気管５のバイパス管６に設けられている。
【００１２】
すなわち、この発明では従来のように、独立した泡剤収容タンクを備えてなく、それゆえコンプレッサー１と別個の泡発生部も存在しない。そして、送気圧力調整弁７、泡剤圧力調整弁８、泡剤流量調整弁９及び泡剤流量計１０などの弁類と、液・送気混合部１１とで構成されている泡発生ユニット２は、泡剤収容タンクを兼ねるエアータンク４に搭載され、コンプレッサー１と一体化されている。
【００１３】
この発明による泡発生装置における、泡の発生原理そのものは従来と同じである。すなわち、エアータンク４に収容された泡剤は送気圧によって加圧され、バイパス管６を通って送気管５に噴射される。これにより、液・送気混合部１１で泡剤と送気管５内の圧力空気とが混合して泡が発生し、泡状クーラントしてコンクリート構造物における所要の穿孔・切断箇所に供給される。泡を発生させるためには泡剤の液圧＞送気圧の関係が必要であり、その圧力差は０．１ＭＰａ〜０．３ＭＰａであることも従来と同様である。
【００１４】
なお、上記実施形態では泡発生ユニット２をエアータンク４に搭載し、エアコンプレッサーと一体としたが、必ずしも一体としなくともよい。しかし、上記実施形態のように一体とするほうが、泡発生装置を構成する部材が１つにまとまり一層のコンパクト化が図れる。
【００１５】
【発明の効果】
以上のように、この発明によれば、コンプレッサーのエアータンクが泡剤の収容タンクを兼ねているので、専用の泡剤収容タンクが不要となる。したがって、装置がコンパクト化して、小規模な施工現場でも搬入・設置が可能となる。
【図面の簡単な説明】
【図１】この発明の実施形態を示し、（ａ）は装置の概略図、（ｂ）は配管系統図をそれぞれ示す。
【図２】従来例を示し、（ａ）は装置の概略図、（ｂ）は配管系統図をそれぞれ示す。
【符号の説明】
１：コンプレッサー
２：泡発生ユニット
３：圧縮ユニット
４：エアータンク
５：送気管
６：バイパス管
７：送気圧力調整弁
８：泡剤圧力調整弁
９：泡剤流量調整弁
１０：泡剤流量計
１１：液・送気混合部
【図１】
2004275891.tif 000003
【図２】
2004275891.tif 000004